(57)【特許請求の範囲】
【請求項１】
音声を入力する音声入力手段と、
音声を出力する音声出力手段と、
前記音声入力手段及び前記音声出力手段を制御するためのコントローラと、
第１外部オーディオアクセサリを接続するためのオーディオアクセサリインタフェイスと、
を含む携帯通信装置であって、
前記第１外部オーディオアクセサリは更に第２外部オーディオアクセサリに接続され、
前記第１外部オーディオアクセサリ及び前記第２外部オーディオアクセサリは、外部から入力した音声を音声信号として、前記携帯通信装置に送信することができ、前記携帯通信装置から出力される音声信号に対応して外部に音声を出力でき、
前記コントローラは、当該コントローラの動作を要するイベントの発生に応じて、当該イベントに対応する第１コマンド及び第２コマンドであって、音声モード選択に使用され音声パラメータを設定する第１コマンドと、前記携帯通信装置が前記音声パラメータに従って実行するべき音声サービスの要求を含む少なくとも１つの第２コマンドとを、前記第１、第２外部オーディオアクセサリの何れか一方から受信し、
前記コントローラは、論理的な状態機械を含み、該状態機械を構成する複数の状態のそれぞれは、前記携帯通信装置及び前記第１、第２外部オーディオアクセサリが遷移しうる動作状態を表し、前記状態機械は、前記コントローラの動作が、前記第１コマンド及び前記第２コマンドに対応する前記イベントの発生に応じて、どのように変化するかを定義しており、該遷移しうる動作状態には、アイドル状態と、アラート状態と、通話呼出状態と、通話状態と、音声ルーティング状態と、通話終了状態との少なくともいずれか１つが含まれ、
前記コントローラは、受信した前記第１コマンド及び第２コマンドに対応する前記イベントの発生に応じて前記状態機械の前記状態間の遷移を制御し、該状態間の遷移に応じて、呼出信号及び通話中の音声信号の少なくとも一方を前記第１、第２外部オーディオアクセサリに提供することと、前記第１、第２外部オーディオアクセサリ間で通話を転送することとを含む、前記第１、第２外部オーディオアクセサリの動作制御を行い、
前記コントローラは、前記第１、第２外部オーディオアクセサリに対してそれぞれ論理チャネルを有し、前記第１、第２コマンドは、前記第１、第２外部オーディオアクセサリのそれぞれに対応した論理チャネルで送られることを特徴とする携帯通信装置。
【請求項２】
前記コントローラは、前記第１、第２外部オーディオアクセサリに対してアドレスを割り当てるに際し、前記携帯通信装置に接続されている順番に応じて、該アドレスを割り当てることを特徴とする請求項１に記載の携帯通信装置。
【請求項３】
前記コントローラは、前記第１、第２外部オーディオアクセサリの何れかに対し、そのアクセサリが、音声チャネルに接続すること又は該音声チャネルから切断することを許可する第３コマンドを送信することを特徴とする請求項１に記載の携帯通信装置。
【請求項４】
前記第１、第２コマンドは、前記携帯通信装置の初期設定フェーズにおいて、或いは該初期設定フェーズの後で、前記第１、第２外部アクセサリのいずれかから送られることを特徴とする請求項１に記載の携帯通信装置。
【請求項５】
前記オーディオアクセサリインタフェイスは、電子コード或は光学式コードを有することを特徴とする請求項１乃至４の何れか１項に記載の携帯通信装置。
【請求項６】
前記オーディオアクセサリインタフェイスは、コードレス通信手段を含むことを特徴とする請求項１乃至５の何れか１項に記載の携帯通信装置。
【請求項７】
前記オーディオアクセサリインタフェイスは、無線通信手段を有することを特徴とする請求項１乃至６の何れか１項に記載の携帯通信装置。
【請求項８】
前記オーディオアクセサリインタフェイスは、赤外線通信手段を有することを特徴とする請求項１乃至７の何れか１項に記載の携帯通信装置。
【請求項９】
携帯電話であることを特徴とする請求項１乃至８のいずれか１項に記載の携帯通信装置。
【請求項１０】
前記第１、第２外部オーディオアクセサリは、ポータブルコンピュータを含むことを特徴とする請求項１乃至９のいずれか１項に記載の携帯通信装置。
【請求項１１】
前記第１又は第２外部オーディオアクセサリは、乗物に取付けるためのステーショナリーハンズフリーユニットであることを特徴とする請求項１乃至１０のいずれか１項に記載の携帯通信装置。
【請求項１２】
前記第１又は第２外部オーディオアクセサリは、ユーザが持ち運ぶポータブルハンズフリーユニットであることを特徴とする請求項１乃至１１のいずれか１項に記載の携帯通信装置。
【請求項１３】
前記ポータブルハンズフリーユニットは、コードレスであることを特徴とする請求項１２に記載の携帯通信装置。
【請求項１４】
音声を入力する音声入力手段と、音声を出力する音声出力手段と、該音声入力手段及び該音声出力手段を制御するコントローラと、第１外部オーディオアクセサリを接続するためのオーディオアクセサリインタフェイスと、を備えた携帯通信装置用の音声制御方法であって、
前記第１外部オーディオアクセサリは更に第２外部オーディオアクセサリに接続され、前記第１外部オーディオアクセサリ及び前記第２外部オーディオアクセサリは、外部から入力した音声を音声信号として、前記携帯通信装置に送信することができ、前記携帯通信装置から出力される音声信号に対応して外部に音声を出力でき、
前記コントローラは論理的な状態機械を含み、前記状態機械を構成する複数の状態のそれぞれは、前記携帯通信装置及び前記第１、第２外部オーディオアクセサリが遷移しうる動作状態を表し、
前記音声制御方法は、
前記コントローラが、当該コントローラの動作を要するイベントの発生に応じて、当該イベントに対応する第１コマンド及び第２コマンドであって、音声モード選択に使用され音声パラメータを設定する第１コマンドと、前記携帯通信装置が前記音声パラメータに従って実行するべき音声サービスの要求を含む少なくとも１つの第２コマンドとを、前記第１、第２外部オーディオアクセサリのそれぞれに対応した論理チャネルで、前記第１、第２外部オーディオアクセサリの何れか一方から受信するステップと、
前記コントローラが、受信した前記第１コマンド及び第２コマンドに対応する前記イベントの発生に応じて前記状態機械の状態間の遷移を制御し、該状態間の遷移に応じて、呼出信号及び通話中の音声信号の少なくとも一方を前記第１、第２外部オーディオアクセサリに提供することと、前記第１、第２外部オーディオアクセサリ間で通話を転送することとを含む、前記第１、第２外部オーディオアクセサリの動作制御を行うステップと、
を含み、
前記状態機械は、前記コントローラの動作が、前記第１コマンド及び前記第２コマンドに対応する前記イベントの発生に応じて、どのように変化するかを定義しており、該遷移しうる動作状態には、アイドル状態と、アラート状態と、通話呼出状態と、通話状態と、音声ルーティング状態と、通話終了状態との少なくともいずれか１つが含まれることを特徴とする音声制御方法。
【発明の詳細な説明】
【０００１】
【発明の属する技術分野】
本発明は、マイクロホン等の音声入力手段、スピーカ等の音声出力手段、音声入力手段及び音声出力手段を制御するコントローラ、及び、外部オーディオアクセサリを機能的に接続するオーディオアクセサリインタフェイスを備えた携帯通信装置に関する。その外部オーディオアクセサリは、外部の音を受けて携帯通信装置に送信でき、及び／又は携帯通信装置から送信された音を外部に発生させることができる。
【０００２】
【従来の技術】
携帯電話は恐らく、上記のように設計された携帯通信装置の最も際立った例である。従って、この明細書の残りの部分においては、限定的な意味ではなく、本発明に係る携帯通信装置の一例として、携帯電話について言及する。急速に増加する携帯電話の人気に続いて、携帯電話用オーディオアクセサリも、同様に増加してきた。商業的に利用可能なアクセサリの例としては、乗り物に取付けるステーショナリー（固定式）ハンズフリーユニットや、ポータブル（携帯用）ハンズフリーユニット（ヘッドホン）や、コードレスヘッドホンや、音声機能付きポータブルコンピュータなど、がある。１つのオーディオアクセサリを電話機と共に使用される限りにおいては、そのインタラクション及び制御はかなり簡単に設計、実用化できる。例えば、ステーショナリーハンズフリーユニットと携帯電話とを一緒に使用する場合、通常、携帯電話自体がその内部のマイクロホンとスピーカを通して直接音声を入出力する。一旦、携帯電話がステーショナリーハンズフリーユニットに装着されると、音声制御はハンズフリーユニットに完全に移る。即ち、すべての音声は、ハンズフリーユニットの外部スピーカ及びマイクロホンから直接出力され、同時に、携帯電話の内部のスピーカ、およびマイクロホンはオフにされる。
【０００３】
【発明の解決すべき課題】
しかしながら、単一の携帯電話に同時に接続された２つ以上のオーディオアクセサリのインタラクション及び動作を制御することは、これよりはるかに難しい。
【０００４】
同時に接続された２つ以上のオーディオアクセサリについて音声制御を行おうとすると、多くの難しい疑問が生じる。
例えば、電話がかかってきた場合に、その音声をどこに向けるのか？
どのアクセサリが呼を制御するのかを、アクセサリは、どのようにして知るのか？
１つのオーディオアクセサリから他のオーディオアクセサリへどのように呼を転送するのか？
電話機が生成したリング信号によって、どのオーディオアクセサリに着呼を通知するのか？
機能不良とユーザの混乱を避けるため、これらの及び他の疑問は解決されなければならない。
【０００５】
【課題を解決するための手段】
本発明の目的とするところは、複数のオーディオアクセサリを機能的に接続可能な携帯電話の、革新的な音声制御を提供することにある。
【０００６】
この目的は、独立請求項によって達成される。
【０００７】
特に、この目的は、携帯電話と、その携帯電話に対し機能的に接続されたすべてのオーディオアクセサリと、の間の通信のために、厳格な規則を確立すること、そして、論理的な状態機械に従って動作するように携帯電話のコントローラを設計することによって実現できる。
その論理的な状態機械は、携帯電話に接続されたオーディオアクセサリの数、タイプ、動作状態に関わらず、起りうるあらゆる条件でどのように、音声制御を行うべきか、について明確な定義を提供するものである。
これらの規定で、各オーディオアクセサリは関連ユーザ操作を携帯電話に送って、携帯電話からの適切なサービスを要求するように強いられる。これにより、音声サービスは、制限なくかつ連続的に制御される。
【０００８】
本発明の他の目的、特徴、および利点は、以下の詳細な説明、請求の範囲、添付図面に表される。
【０００９】
【発明の実施の形態】
図１は携帯電話１のユーザ２が複数のオーディオアクセサリを使用する場合のユーザシナリオを例示する図である。
【００１０】
まず第一に、ステーショナリーハンズフリーユニット３はコードを介して携帯電話１に接続されている。ステーショナリーハンズフリーユニット３はユーザ２所有の乗物に設置されていてもよい。さらに、ユーザ２は、コードを介してステーショナリーハンズフリーユニット３にポータブルハンズフリーユニット４を接続している。ポータブルハンズフリーユニット４はヘッドホン装置であり、例えば、高速で運転する車中などのように、雑音の多い環境において音声品質を向上することができる。ポータブルハンズフリーユニット４のマイクロホン及びスピーカは、その両方が、ステーショナリーハンズフリーユニット３のスピーカとマイクロホンに比べて、ユーザ２の耳と口のより近くに位置するので、よりよい音声品質が得られる。
【００１１】
さらに、ユーザ２は、赤外線や電波回線などの無線回線を介して携帯電話１にラップトップコンピュータ５を接続している。ラップトップコンピュータ５はＰＣスピーカを有し、同様にそこに接続されたマイクロホンをも有している。そして、コンピュータベースの音声呼出用ソフトウェアをインストールすることにより、ラップトップコンピュータ５を音声通話に使用することができる。さらに、ラップトップコンピュータ５は、インターネットブラウシングセッション、電子メール通信などのデータ収集作業を実行するために、携帯電話１と共に使用してもよい。
【００１２】
図２において、携帯電話１は第１オーディオアクセサリ１０と第２オーディオアクセサリ２０と共に、図示されている。オーディオアクセサリ１０、２０は、例えば、図１で示されるどのタイプのアクセサリであっても良い。携帯電話１は、スピーカ８の形態の音声出力手段を有し、同様にマイクロホン９の形態の音声入力手段をも有しており、通常知られている種類の電話機であるため、ここでは、詳細に説明しない。携帯電話１はオーディオアクセサリインタフェイスを有する。このオーディオアクセサリインタフェイスにより、携帯電話は、音声ライン６と制御ライン７を介してオーディオアクセサリと接続する。また、携帯電話は、以下に詳細に説明するように、接続されたオーディオアクセサリ１０、２０の動作を制御するため、ＣＰＵ（中央処理装置）などのコントローラを有する。
【００１３】
図２で示されるように、各オーディオアクセサリ１０、２０はＣＰＵ１１，２１、マイクロホン１２，２２、およびスピーカ１５，２５を含む。マイクロホン１２，２２とスピーカ１５，２５はスイッチ１３，２３及び１４，２４を介してそれぞれ音声ライン６に接続される。スイッチ１３，２３及び１４，２４は各ＣＰＵ１１，２１によって制御され、各ＣＰＵ１１，２１は、制御ライン７を介して、携帯電話１のコントローラによって順番に制御される。したがって、携帯電話１、或は、より明確には、そのコントローラが、音声ライン６に接続されアクティブなマイクロホン１２，２２とスピーカ１５，２５のどちらかを、フルに制御する。したがって、携帯電話１は、それ自身のマイクロホン８とスピーカ９の音声制御を実行するのと同様に、複数のオーディオアクセサリ１０、２０のマイクロホン１２、２２とスピーカ１５、２５の音声制御を実行することができる。これにより、発信或は着信時の音声サービス（例えば、リング信号、音声ダイヤリング、音声通話解除または通常の通話）は、選択的にかつ独立してマイクロホン９、１２、２２かスピーカ８、１５、２５の何れに対しても行うことができる。
【００１４】
好適な実施の形態に従い、ＡＴコマンド、つまり、Ｈａｙｅｓ  Ｍｉｃｒｏｃｏｍｐｕｔｅｒ  Ｐｒｏｄｕｃｔｓ株式会社によって開発されたコマンドセットに基づいたコマンド、をやりとりすることによって、携帯電話１とオーディオアクセサリ１０、２０は、コンピュータ端末からコントロールモデムへ、通信を行う。
【００１５】
図２では、両方のオーディオアクセサリ１０、２０は電気コードによって携帯電話１に接続される。しかしながら、オーディオアクセサリは例えば光ファイバコードによって携帯電話１に接続されても同様に好適である。或は、アクセサリを、コードレスで、例えば電波回線かＩＲ（赤外線）回線によって、携帯電話１に接続してもよい（図１におけるラップトップコンピュータ５参照）。
【００１６】
図３は論理的な状態機械グラフを示す。これは、携帯電話１のコントローラによって実行され、前述の音声制御を実行させるのに用いられる。
【００１７】
図４は図３で示される状態機械の特定の部分（ルーティング）の第２グラフを示す。これらの状態機械グラフについて、及び、携帯電話１のコントローラによって実行された音声制御について、以下に説明する。
【００１８】
１．定義
【００１９】
【表１】
0004563589.tif 000002
２．  アクセサリの用語
システムインタフェース（デフォルト）は２つの別々のシリアル通信バスを含む。それは、移動局へ／からのデータＤＴＭＳ／ＤＦＭＳ及び移動局へ／からのアクセサリ制御ＣＴＭＳ／ＣＦＭＳ（図２の音声ライン６と制御ライン７参照）である。以下の用語は通信バスに有効である。
【００２０】
終端アクセサリ：
このアクセサリは、そのチェーンにおいて、後ろに他のアクセサリを有さないものである。この例には、ポータブルハンズフリー、コードレスハンズフリー、及びＰＣがある。図２におけるオーディオアクセサリ２０は終端アクセサリである。
【００２１】
カスケードアクセサリ：
第１のインタフェイスによって提供された個々のシリアル通信インタフェイス信号を第２のサイドまで通過する。たとえ、その第２のインタフェイスに接続される別の装置があったとしても、それ自身の使用のためにこのシリアル通信リンクを使用する可能性がある。カスケードアクセサリは、多重通信プロトコルをサポートする必要がある。図２におけるオーディオアクセサリ１０はカスケードアクセサリである。
【００２２】
３．音声機能用コマンド
これらのＡＴコマンドは、ＭＳ内で音声機能を設定するために用いられる。これらのコマンドは、通常、初期設定フェーズで送信されるが、随時ＭＳに発信されうるものである。
【００２３】
＜ＡＴ＊ＥＡＭＳ＞  エリクソン音声モード選択
このコマンドは音声モード選択に使用され、多くの音声パラメータを設定する。
【００２４】
＜ＡＴ＊ＥＡＬＲ＞  エリクソン音声ライン要求
アナログ音声ＡＴＭＳ／ＡＦＭＳラインの使用を要求するオーディオアクセサリがこのコマンドを使用する。
ＭＳは、ＡＦＭＳとＡＴＭＳを使用することができるアクセサリを設定するために非請求＊ＥＡＬＲコマンドを使用する。
概して、非請求コマンドは、アクセサリから何ら前もって要求されなくてもＭＳによって送信されるコマンドである。
【００２５】
＜ＡＴ＊ＥＡＲＳ＞  エリクソンのアナログのリング信号（ＡＦＭＳ）要求
このコマンドは、ラウドスピーカにおいて（即ちＡＦＭＳ上で）アナログリング信号を要求するのに使用される。
【００２６】
＜ＡＴ＊ＥＭＩＲ＞  エリクソンミュート指示要求
ミュート指示を要求するアクセサリは、たとえ別のアクセサリが着呼する場合にもこのコマンドを使用する。
【００２７】
＜ＡＴ＊ＥＬＡＭ＞  エリクソンローカル音声モード
このコマンドは、マイクロホン及び／又はラウドスピーカの信号をシステムバスに発信するのに使用される。
【００２８】
＜ＡＴ＊ＥＶＡＤ＞  エリクソンＶＡＤ関数モード選択
このコマンドは外部ＶＡＤ機能（下記参照）、及び、その外部ＶＡＤ機能の有効／無効を示すのに用いられる。
【００２９】
＜ＡＴ＊ＥＰＨＤ＞  エリクソンポータブルハンズフリー検知
カスケードアクセサリは、このコマンドを用いて、下流側のＣＦＭＳの電圧レベルが常に低いことをそのＭＳに示す。
【００３０】
＜ＡＴ＊ＥＣＢＰ＞  エリクソンＣＨＦボタン押下
コードレスハンズフリーが、ＭＳに対し、ＣＨＦボタンが押されたことを示すためこのコマンドは使用される。
【００３１】
＜ＡＴ＊ＥＶＤＡ＞  エリクソン音声ダイヤル作動
このコマンドは、さらに以下で説明する、「ネームスポッティング処理」状態に入るため使用される。ＡＴ＊ＥＶＤＡコマンドを受信することは図３で示される音声制御状態機械において、「ＶＡＤ起動」イベントとして示されている。
このコマンドはアイドル状態においてのみ有効である。他のすべての状態で、このコマンドは無視される。
【００３２】
＜ＡＴ＊ＥＶＡ＞  応答着呼コマンド
着呼に応答するため移動局ＭＳに送信するものである。
【００３３】
＜ＡＴ＊ＥＶＤ＞  音声ダイヤルコマンド
音声呼出を発するように移動局ＭＳに指示するものである。
【００３４】
＜ＡＴ＊ＥＶＨ＞  音声フックコマンド
アクティブ音声呼出を解除するため移動局ＭＳに送信するものである。
【００３５】
＜ＡＴ＊ＥＣＡＭ＞  エリクソン呼出監視
このコマンドは、ＭＳにおける呼監視機能を有効又は無効にするのに使用される。この機能は、着信呼出、接続、切断などのような呼出イベントをアクセサリに知らせるものである。
【００３６】
＜＊ＥＣＡＶ＞  非請求呼監視結果コード
これは、移動局ＭＳから送信される、非請求結果コードである。
【００３７】
４．必要条件とルール
＜音声ライン機能＞
すべてのオーディオアクセサリが並列に分岐的構成（multidrop configuration）（図２参照）で接続される。即ち、移動局へ／からの音声、ＡＴＭＳ／ＡＦＭＳ信号である。アクセサリ自体が音声、すなわち、スピーカ及び／又はマイクロホンをＯＮ及びＯＦＦするべきである。
【００３８】
唯一の例外がポータブルハンズフリーユニットＰＨＦである。なぜなら、その音声バスが分岐バスであるので、ポータブルハンズフリーは自動的に接続される。そして、ポータブルハンズフリーにおいてはまったく制御機構はないので、それをオフにするのは不可能である。したがって、ポータブルハンズフリーが、電話機に対し、直接、或は、カスケードアクセサリの末端として、接続されている場合、常に音声を得る。
【００３９】
＜論理チャネル＞
特定のオーディオアクセサリに関するすべての音声ＡＴコマンドは、同じ論理チャネルで送られるものとする。この必要条件はＭＳが論理チャネルでオーディオアクセサリを区別するという事実による。
【００４０】
アドレス指定プロトコルはダイナミックなアドレス指定を用いる。すなわち、論理アドレスは、オーディオアクセサリに対し、それらがＭＳに接続された順番に応じて割当てられる。
【００４１】
［初期設定と認証］：
アクセサリは、事前に定義された認証シーケンスを送ることによって、初期設定フェーズを開始する。
【００４２】
＜音声モード選択＞
アクセサリが移動局ＭＳに接続されるときに、ＭＳにおけるアクセサリ用の音声モード設定を設定するため、ＡＴ＊ＥＡＭＳ（上記参照）コマンドを送るものとする。１つの例外は、ポータブルハンズフリーである。ポータブルハンズフリーは、そのアクセサリが接続されていることをＭＳに示すために連続的に低くＣＦＭＳラインを維持する。
【００４３】
また、ＡＴコマンドは、初期設定フェーズの後の任意の時間に送信することもでき、音声モード設定を変えることができる。
【００４４】
＜音声ラインの使用要求＞
アクセサリをＡＦＭＳ／ＡＴＭＳに接続したい場合、ＡＴ＊ＥＡＬＲ（上記参照）コマンドを送信し、ＡＦＭＳ／ＡＴＭＳを要求しなければならない。
１つの例外がポータブルハンズフリーである。ポータブルハンズフリーは常にＡＦＭＳ／ＡＴＭＳに接続される。
【００４５】
＜ラウドスピーカのリング信号の要求＞
アクセサリが着信呼出を示すためにＡＦＭＳでリング信号を必要とするならば、そのアクセサリは、ＡＴ＊ＥＡＲＳコマンド（上記参照）によって、これを要求しなければならない。
【００４６】
＜ミュート指示の要求＞
アクセサリが他の電子装置をミュートすることを望む場合、ＡＴ＊ＥＭＩＲコマンド（上記参照）によって、移動局ＭＳからのミュート指示を要求しなければならない。
【００４７】
［実行中］：
＜音声モード変更＞
アクセサリは初期化の後にＡＴ＊ＥＡＭＳコマンド（上記参照）で音声モード選択を変えることができる。
【００４８】
＜ミュージックミュート＞
アクセサリが非請求応答コマンド＊ＥＭＩＲ：［アクティブ］（上記参照）を受信した場合、非請求応答コマンド＊ＥＭＩＲ［インアクティブ］（上記参照）を受信するまで、アクセサリは電子装置（例えば、カーステレオ）をミュートする。
【００４９】
以下の機能ルールが適用される。
着信音声呼出モードフェーズ、発信音声呼出モードフェーズ、および通話中モードフェーズの間、ミュート機能はアクティブにされるものとする。
データ／ファックス呼出の間、ミュート機能はインアクティブにされるものとする。
アイドル／スタンバイフェーズの間、ミュート機能はインアクティブにされるものとする。
【００５０】
＜音声ラインへの接続＞
アクセサリは、ＡＦＭＳ及び／又はＡＴＭＳへの接続を許可する非請求コマンド＊ＥＡＬＲ（上記参照）を受信するまで、ＡＦＭＳ及び／又はＡＴＭＳに接続してはならない。このコマンドは、ＡＴＭＳのみ、ＡＦＭＳのみ、或は、それら両方に接続されるように音声ラインを接続したり切断したりすることができる。
【００５１】
アクセサリは、＊ＥＡＬＲ：［切断］を受信する前に、或は、装置が切断される（取外される）前に、ＡＦＭＳ／ＡＴＭＳを切断してはならない。１つ例外はポータブルハンズフリーである。これは、常にＡＦＭＳ／ＡＴＭＳに接続される。
【００５２】
＜着信呼出受付＞
以下の操作のどちらかで着信呼出を受付けることができる。
・コードレスのハンズフリーヘッドホンユニットにおいてボタンを押すこと
・ポータブルハンズフリーでボタンを押すこと
・ＭＳ上のＹＥＳボタンを押すこと
・音声作動応答ＶＡＡ機能において音声コマンド「応答」を用いること
・ハンドセットＨＳユニット（受話器）をはずすこと
もし、ハンズフリーユニットで着信呼出を受けとりたければ、ＡＴ＊ＥＶＡコマンド（上記参照）を送信することによって、その意思を移動局に示してもよい。
【００５３】
もし、ＡＴ＊ＥＶＡ或はＡＴＡがあるオーディオアクセサリから送信されたならば、その呼は自動的にこのアクセサリに転送される。別の方法では、その呼がＭＳから応答されるかのようにその呼を同様に転送する。
【００５４】
＜呼出終了＞
以下のいずれかの操作により進行中の呼出を終了させることができる。
・移動局でＮＯボタンを押すこと
・コードレスハンズフリーヘッドホンユニットでボタンを押すこと
・ポータブルハンズフリーでボタンを押すこと
・ハンドセットＨＳユニット（受話器）を置くこと
ハンズフリーユニットで進行中の呼出を解除したい場合、ＡＴ＊ＥＶＨコマンド（上記参照）をＭＳに送信することによって、その解除は行われる。
【００５５】
ＡＴ＊ＥＶＨとＡＴＨコマンドは、どのアクセサリがその呼出を有するかにかかわらず、その呼出を解除する。
【００５６】
＜ユーザが定義する着信呼出のユーザビジー＞
着信呼出は以下の操作によって拒絶することができる。
・ＭＳの上のＮＯボタンを押すこと
・ＶＡＡ機能で音声コマンド「ＮＯ」を使用すること
＜呼出設定＞
ＡＴ＊ＥＶＤ或はＡＴＤがオーディオアクセサリから送信されると、呼出は自動的にそのアクセサリに転送される。別の方法では、ＭＳのキーパッドからの呼出設定で、同様に転送される。
【００５７】
［終端アクセサリに対する特定の必要条件］：
この種のアクセサリの例は、ポータブルハンズフリーとコードレスハンズフリーである。このアクセサリは、アクセサリチェーンの端に配置されなければならない。
【００５８】
［カスケードアクセサリに対する特定の必要条件］：
この種のアクセサリの例は、ステーショナリーハンズフリーユニットである。  ・それは下流側でシステムコネクタを再構築することができる。
・それは、下流側のＣＦＭＳの電圧レベルが常に低いかどうか検出する。もしそうなら、カスケードアクセサリはＡＴコマンド：ＡＴ＊ＥＰＨＤコマンド（上記参照）を送信する。
【００５９】
オーディオアクセサリ以外のアクセサリがＭＳに接続されたアクセサリチェーンに含まれてもよい。１つの例が充電器である。
そのような「非音声」アクセサリは、
・下流側にシステムコネクタを再構築することができる。
【００６０】
・下流側のＣＦＭＳの電圧レベルが常に低いかどうか検出する。もしそうなら、アクセサリはＡＴ＊ＥＰＨＤコマンドをＭＳに送る（上記参照）。
【００６１】
５．音声制御状態機械
＜状態機械グラフ＞
上述したように、音声制御状態機械は図３と４で示される２つの部分に分割される。
・呼状態機械（図３）
・ルーティング状態機械（図４）
状態は状態図で示されるイベントに対応して維持されるのみでもよい。
例えば、ユーザがハンズフリー（ＨＦ）ユニットにおける進行中の呼出を有するならば、ハンドセット（ＨＳ）（受話器）を置くことにより、その状態を維持できなくなる。
【００６２】
［呼状態機械における状態の記載］：
＜アイドル（スタンバイ）＞
移動局（ＭＳ）において呼の無い状態、ＭＳはスタンバイモードである。
【００６３】
＜アラート＞
移動局ＭＳ、及びアクセサリが着信呼出をユーザに知らせる状態。
【００６４】
＜キーパッド開始呼出＞
キーパッドから呼出初期化が開始する状態。この状態に含まれていない呼出初期化の唯一の部分は、移動局ＭＳ上のＹＥＳボタンによる呼出の確認である。キーパッド開始呼出の２つの例は、番号のダイヤル、またはアドレス帳の記録の選択である。
【００６５】
＜内部／外部ＶＡＤ選択＞
音声ダイヤリングＶＡＤ機能が、内部或は外部ＶＡＤによって扱われるかどうかを示す状態選択。
【００６６】
ルール：
・外部ＶＡＤが存在していると、このユニットはアクティブになる。
・移動局ＭＳのＭＭＩ（マンマシンインタフェイス）機能が外部ＶＡＤ機能を無効にしたならば、内部ＶＡＤはアクティブになる。
・利用可能な外部ＶＡＤがなければ、内部ＶＡＤはアクティブになる。
【００６７】
＜内部ＶＡＤ＞
これは移動局ＭＳの内部に設けられた音声ダイヤリングＶＡＤ機能である。
【００６８】
＜外部ＶＡＤ＞
これは移動局ＭＳの外部に、すなわち、ハンズフリーユニットなどの物理的に外部のアクセサリに配置される、音声ダイヤリングＶＡＤ機能である。
【００６９】
＜ネームスポッティング＞
この状態では、音声ダイヤリングＶＡＤ機能は、音声入力と、内部及び／又は外部ＶＡＤディレクトリにおける名前のサンプルとをマッチングしようとする。
【００７０】
＜通話（Ｃａｌｌ）＞
この状態では、音声通話が確立されて、通話中となっている。ここで、以下の文及び図４に示すルーティング状態機械を介して使用されるオーディオ機器を変更することは可能である。
【００７１】
＜呼出終了／アイドル＞
呼が切断されたとき、この状態に入る。実際には、この状態とアイドル状態と間には、全く違いがない。
【００７２】
［呼出状態機械のイベントの説明］：
＜着信呼出＞
着信呼出を受けたが、応答していないことを示す。
【００７３】
＜ＶＡＤ起動＞
音声ダイヤリングＶＡＤ機能がアクティブになったことを示す。このイベントは、ネームスポッティング処理を開始する。ＶＡＤ機能をアクティブにするには、以下のような多くの方法がある。
・移動局ＭＳのボタンを押すこと。このようにアクティブ化すると、直接起動オーディオアクセサリへのルーティングも設定される。
・ポータブルハンズフリーＰＨＦの上のＰＨＦボタンを押すこと。このようにアクティブ化すると、ポータブルハンズフリーユニットへのルーティングも設定される。
・コードレスハンズフリーＣＨＦ上のＣＨＦボタンを押すこと。このようにアクティブ化すれば、コードレスのハンズフリーユニットへのルーティングも設定される。
【００７４】
＜ＹＥＳ（ボタン）＞
移動局ＭＳでＹＥＳボタンが押されたことを示す。また、このアクティブ化により、直接起動オーディオアクセサリにルーティングが設定される。
【００７５】
＜ＮＯ（ボタン）＞
移動局ＭＳ上のＮＯボタンが押されたことを示す。
【００７６】
＜「イエス」（音声）＞
音声コマンドＹＥＳを示す。
このコマンドは音声応答／音声ダイヤリングＶＡＡ／ＶＡＤ機能に含まれ、着信呼出を受け付ける。また、このアクティブ化により、直接起動オーディオアクセサリにルーティングが設定される。
【００７７】
＜「ノー」（音声）＞
音声コマンドＮＯを示す。このコマンドは音声応答／音声ダイヤリングＶＡＡ／ＶＡＤ機能に含まれ、着信呼出を拒否する。
【００７８】
＜ボタン起動＞
コードレスハンズフリーＣＨＦ、またはポータブルハンズフリーＰＨＦの上のボタンが押されたことを示す。また、このアクティブ化により、コードレスハンズフリーＣＨＦ、またはポータブルハンズフリーＰＨＦのいずれかに対しルーティングが設定される。
【００７９】
＜フックリフト＞
ハンドセットＨＳユニットが外されたことを示す。また、このアクティブ化によると、ハンドセットユニットにルーティングが設定される。
【００８０】
＜フックプレース＞
ハンドセットＨＳユニットがＨＳホルダに戻されたことを示す。
【００８１】
［ルーティング状態機械における状態の説明］：
ルーティング状態機械は上述した呼出状態機械のサブ状態機械である。ここで、どこに呼を転送するかが決定される。以下の一般的規則が適用される。
・ＶＡＤ機能を起動した装置は呼を受付けるものとする。
・もしその呼がＶＡＤ機能によって初期化されなかったならば、呼は、その音声ラインを要求する最も低いアドレスの装置に転送されるものとする。
【００８２】
＜直接起動オーディオアクセサリ＞
これは直接起動音声を求めるアクセサリのグループである。アクティブに設定されると、アクティブな直接起動オーディオ機器にルーティングが行われる。
【００８３】
アクティブな直接起動オーディオアクセサリとしては、１つのアクセサリしか設定することができない。
【００８４】
＜電話機＞
これはデフォルトの直接起動オーディオ機器である。アクティブに設定されると、ＭＳ（移動局）に対してルーティングが行われる。
【００８５】
＜ＨＦ（ハンズフリー）＞
これは、接続されると、アクティブステータスを求める直接起動オーディオアクセサリである。
いくつかの直接起動オーディオアクセサリが接続されている場合、最後に接続されたアクセサリ（すなわち、最も大きな論理アドレスを有するアクセサリ）がアクティブステータスを受けるものとなる。
【００８６】
＜ＰＨＦ（ポータブルハンズフリー）＞
ポータブルハンズフリーユニットは一種の直接起動オーディオアクセサリである。
【００８７】
＜ＨＳ（ハンドセット）＞
ＨＳ（ハンドセット）に転送された、進行中の音声通話。
【００８８】
＜ＣＨＦ（コードレスハンズフリー）＞
ＣＨＦ（コードレスハンズフリー）に転送された、進行中の音声通話。
【００８９】
［ルーティング状態機械におけるイベントの説明］
＜ＨＦ接続＞
電話機が直接起動ハンズフリーユニットに接続されるイベント：
・直接起動オーディオ機器のアクティブステータスは電話機からハンズフリーまで移される。デフォルトルーティングは、ハンズフリーユニットに対するものとなる。
・通話中なら、音声は電話機からハンズフリーまで、できるだけ速く移される。
音声状態機械のなかで同時に直接起動アクセサリとなりうるアクセサリは１つだけである。従って、もし２つ以上の音声アクセサリが直接起動として登録すれば、最後に接続されたアクセサリが有効なものになる。
【００９０】
＜非ＨＦ接続＞
電話機が直接起動ハンズフリーユニットから外されるイベント：
・直接起動オーディオ機器のアクティブステータスはハンズフリーから電話機へと移る。デフォルトルーティングは電話機に対するものとなる。
・通話中であれば、音声がハンズフリーから電話機へできるだけ速く移されるものとする。
【００９１】
＜ＰＨＦ接続＞
ＰＨＦが直接起動オーディオユニットに接続されるイベント：
・直接起動オーディオ機器のアクティブステータスは電話機／ハンズフリーからＰＨＦへと移される。デフォルトルーティングは、ポータブルハンズフリーユニットに対するものとなる。
・通話中ならば、音声は直接起動オーディオ機器からポータブルハンズフリーまで、できるだけ早く移される。
【００９２】
＜非ＰＨＦ接続＞
ＰＨＦが直接起動オーディオユニットから外されるイベント：
・直接起動オーディオ機器のアクティブ状態はポータブルハンズフリーユニットから残る直接起動オーディオ機器まで移される。デフォルトルーティングは直接起動オーディオユニットに対するものとなる。
・通話中であれば、音声は、ポータブルハンズフリーユニットからアクティブな直接起動オーディオユニットへ、できるだけ速く移される。
【００９３】
＜ボタン起動＞
上記参照。
【００９４】
＜フックリフト＞
上記参照。
【００９５】
＜フックプレース＞
上記参照。
【００９６】
＜ＨＦ（ボタン）＞
移動局ＭＳ上のハンズフリーボタンが押されたことを示す。ルーティングを直接起動オーディオユニットに変更する。
【００９７】
＜電話（ボタン）＞
移動局ＭＳ上の電話ボタンが押されたことを示す。ルーティングを直接起動オーディオユニットに変更する。
【００９８】
［呼取扱いのためのルール］：
・アクティブな通話と保留とを有する場合、ＹＥＳを押すと、ＭＳは現在占有されている状態の如何にかかわらず呼出を交換する。
・発呼を行い、２つ以上のオーディオアクセサリが接続されているとき、ユーザは、常に、もし利用可能ならば、ハンズフリーＨＦ（ＰＨＦ）機器で、或は、もしＨＦ（ＰＨＦ）が利用不可能ならば、移動局ＭＳでその呼出をうける。他のすべてのオーディオアクセサリは、状態機械グラフで示されるいくつかの手段によってアクティブにされなければならない。
・ポータブルハンズフリーＰＨＦが接続されている場合、それは常に音声ラインを獲得する。
・２つ以上の直接起動オーディオアクセサリが電話機に接続されると、最後に接続されたアクセサリがアクティブになる。
【００９９】
６．使用ケースＩ：ステーショナリーハンズフリーユニットが移動局に接続された場合
必要なら、この使用ケースの前にアクセサリの認証を実行する。
この使用ケースは接続されたアクセサリの初期化と着信呼出の発生を例示している。この着信呼出は、応答され、続いてその通話が切断される。
【０１００】
【表２】
0004563589.tif 000003
７．使用ケースＩＩ：ステーショナリーハンズフリーユニットとコードレスハンズフリーが移動局に接続された場合
必要なら、この使用ケースの前にアクセサリの認証が実行される。
【０１０１】
この使用ケースは接続されたアクセサリの初期化と、着信呼出の発生を例示している。この着信呼出は、ＣＨＦによって応答され、取られ、続いてＣＨＦによってその通話が切断される。
【０１０２】
【表３】
0004563589.tif 000004
0004563589.tif 000005
【０１０３】
以上のように、本発明について好適な実施の形態を参照して説明してきたが、本発明は、上の説明に限定されるものではない。
本発明の範囲は独立請求項によって定義される最大の範囲であり、上で説明された特定の実施形態以外の実施形態も、同様に、本発明の範囲内に含まれうる。
【図面の簡単な説明】
【図１】  図１は、携帯電話のユーザが複数のオーディオアクセサリを電話機に接続する場合の一例を示す図である。
【図２】  図２は、携帯電話と、その携帯電話に接続された２つのオーディオアクセサリとを示すブロック図である。
【図３】  図３は、移動電話及びオーディオアクセサリが動作するように定められた方法を示す第１の状態機械グラフである。
【図４】  図４は、移動電話及びオーディオアクセサリが動作するように定められた方法を示す第２の状態機械グラフである。
【図１】
0004563589.tif 000006
【図２】
0004563589.tif 000007
【図３】
0004563589.tif 000008
【図４】
0004563589.tif 000009